(57)【要約】【課題】  視覚効果を高めることが可能な計器照明構造を提供する。【解決手段】  計器照明構造は、文字板１５及び見返し板９と、文字板１５の前面側で表示意匠を指示する指針と、その指針を囲むように文字板１５の前面に設けられるリング部材２１と、文字板１５の後面側に配置される光源３７と、その光源からの光４０を導光するとともに光４０に対する出射面４４がリング部材２１の外周縁部４５と見返し板９との間に位置する導光部材３６と、を備える。出射面４４は、リング部材２１の正面視において外周縁部４５から突出しない位置に配置する。【選択図】    図４
2005201733.tif 000002
【特許請求の範囲】
【請求項１】
文字板及び見返し板と、前記文字板の前面側で表示意匠を指示する指針と、該指針を囲むように前記文字板の前記前面に設けられるリング部材と、前記文字板の後面側に配置される光源と、該光源からの光を導光するとともに該光に対する出射面が前記リング部材の外周縁部と前記見返し板との間に位置する導光部材と、を備えた
ことを特徴とする計器照明構造。
【請求項２】
請求項１に記載の計器照明構造において、
前記出射面を前記リング部材の正面視で前記外周縁部から突出しない位置に配置した
ことを特徴とする計器照明構造。
【請求項３】
請求項１又は請求項２に記載の計器照明構造において、
前記見返し板の前面にグラデーション印刷を施した
ことを特徴とする計器照明構造。
【請求項４】
請求項１又は請求項２に記載の計器照明構造において、
前記見返し板の前面を金属調に仕上げた
ことを特徴とする計器照明構造。
【発明の詳細な説明】
【技術分野】
【０００１】
本発明は、車両等に搭載される計器を照明する構造に関し、特に、光源からの光を見返し板の前面に導く計器照明構造に関する。
【背景技術】
【０００２】
近年、高級感や高品位感を増長させる等の目的で、例えば車両用計器は、様々な改良がなされている。下記特許文献１に開示された技術はそのうちの一つとして知られている。図５において、下記特許文献１に開示されたメータ装置は、所定のトリガーによって光源１０１が点灯すると、その光源１０１から上方へ向かう光が文字板１０２の開口部１０３を通過して、指針基端部から指針１０４の内部に入射する。その入射光は、指針１０４の内部に形成された反射面等を経由して指針１０４の先端方向に導光され、ホットスタンプ層１０５が光輝する。これにより、指針１０４は、ホットスタンプ層１０５の色調及び光源１０１に依存した色調で視認されるようになる。
【０００３】
一方、光源１０１から上方へ向かう光は、図中の光Ｒ１、Ｒ２、Ｒ３で示されるように、文字板１０２の開口部１０３から漏れてリング部材１０６の方向へ進行する。そして、例えば、光Ｒ１、Ｒ２がリング部材１０６の曲線的な断面凸状の内壁１０７に反射して、上方に向かうと、ドライバーのアイポイントＥＰ１、ＥＰ２に到達する。また、光Ｒ３も特に図示しないが、内壁１０７に反射して、上方に向かいドライバーのアイポイントに到達する。
【０００４】
図中の引用符号１０８は指針本体、１０９は指針キャップ、１１０は指針軸部、１１１は回転軸、１１２はモータ、１１３はベースプレート、１１４はバランサ、１１５は表示意匠、１１６は係止片、１１７は縁取り部材、１１８は係止穴、１１９は見返し板、１２０は表ガラス、１２１は小孔部を示している。
【０００５】
尚、下記特許文献１には、導光部材で形成したリング部材と、そのリング部材に対する光源とを備えて、リング部材自体を直接発光させる技術も記載されている。
【特許文献１】特開２００３−２２２５３９号公報  （第６頁、第３図）
【発明の開示】
【発明が解決しようとする課題】
【０００６】
ところで、上記従来技術にあっては、開口部１０３からの漏れ光Ｒ１、Ｒ２、Ｒ３を利用して、リング部材１０６を光輝させるように構成していることから、視覚効果のある照明構造となっている。しかしながら、近年では視覚効果を一層高めて欲しいというニーズがでてきている。
【０００７】
本発明は、上述した事情に鑑みてなされるもので、視覚効果を高めることが可能な計器照明構造を提供することを課題とする。
【課題を解決するための手段】
【０００８】
上記課題を解決するためなされた請求項１記載の本発明の計器照明構造は、文字板及び見返し板と、前記文字板の前面側で表示意匠を指示する指針と、該指針を囲むように前記文字板の前記前面に設けられるリング部材と、前記文字板の後面側に配置される光源と、該光源からの光を導光するとともに該光に対する出射面が前記リング部材の外周縁部と前記見返し板との間に位置する導光部材と、を備えたことを特徴としている。このような特徴を有する本発明によれば、光源からの光が導光部材により導光され、そして、リング部材の外周縁部を介して見返し板の前面に導かれる。これにより見返し板の前面は照明される。
【０００９】
請求項２記載の本発明の計器照明構造は、請求項１に記載の計器照明構造において、前記出射面を前記リング部材の正面視で前記外周縁部から突出しない位置に配置したことを特徴としている。このような特徴を有する本発明によれば、計器正面から見えない位置に導光部材の出射面が配置される。リング部材の外周縁部から光が漏れるような状態で見返し板の前面が照明される。
【００１０】
請求項３記載の本発明の計器照明構造は、請求項１又は請求項２に記載の計器照明構造において、前記見返し板の前面にグラデーション印刷を施したことを特徴としている。このような特徴を有する本発明によれば、照明時にグラデーションのある板面発光が可能になる。
【００１１】
請求項４記載の本発明の計器照明構造は、請求項１又は請求項２に記載の計器照明構造において、前記見返し板の前面を金属調に仕上げたことを特徴としている。このような特徴を有する本発明によれば、照明時に金属感のある板面発光が可能になる。
【発明の効果】
【００１２】
請求項１に記載された本発明によれば、光源からの光を強制的に見返し板の前面に導く構造であることから、従来にない新しい視覚効果を得ることが可能な計器照明構造を提供することができるという効果を奏する。
【００１３】
請求項２に記載された本発明によれば、見返し板の前面に光を導くための導光部材を計器正面から見えないようにしていることから、見栄えをよくすることができるという効果を奏する。
【００１４】
請求項３に記載された本発明によれば、照明時にグラデーションのある板面発光をさせることができるという効果を奏する。
【００１５】
請求項４に記載された本発明によれば、照明時に金属感のある板面発光をさせることができるという効果を奏する。
【発明を実施するための最良の形態】
【００１６】
以下、図面を参照しながら説明する。図１は本発明の計器照明構造の一実施の形態であり、コンビネーションメータに適用された場合の状態を示す正面図である。
【００１７】
図１において、引用符号１は本発明の計器照明構造が適用される一例としてのコンビネーションメータを示している。そのコンビネーションメータ１は、自動車に搭載されるものであって、燃料計部２、タコメータ部３、ウォーニング表示部４、方向指示部５、スピードメータ部６、オドメータ部７、及び水温計部８等を含んで構成されている。上記各部２〜８は、後述の数字、文字、キャラクタ等の表示意匠や意匠パターンを表示する文字板を有している。
【００１８】
コンビネーションメータ１の前面側を形成する見返し板９は、上記各部２〜８に対応する表示窓を有しており、側面及び後面側を構成するメータケース１０と一体化されて、コンビネーションメータ１の外形を構成している。このような見返し板９の前面には、視覚効果を高めるために、光源からの光が導かれる（後述する）ようになっており、また、グラデーション印刷や金属調の仕上げ等が施されている。上記各部２〜８の前方は、透明の表ガラス１１で覆われている。
【００１９】
上記各文字板の後面側には、燃料計部２、タコメータ部３、スピードメータ部６、及び水温計部８の各指針を所定角度回転させるモータが配設されている。そのモータは、図示しない制御機構からの指令を受けて作動するように構成されている。オドメータ部７には、上記制御機構からの指令を受けて所定の累積走行距離を表示するＬＣＤ（Liquid Crystal Display）等の表示装置が設けられている。上記各文字板の後面側には、その各文字板、上記指針等に光を供給して照明する光源が配設されている。
【００２０】
燃料計部２は、その指針１２が文字板１３上に形成された表示意匠である燃料残量を指示するものとして構成されている。また、タコメータ部３は、その指針１４が文字板１５上に形成された表示意匠であるエンジン回転数を指示するものとして構成されている。ここで、タコメータ部３の駆動機構について簡単に説明すると、指針１４が文字板１５上の該当するエンジン回転数に対応する文字又は目盛りを指示することにより、エンジン回転数が表示されるようになっている。指針１４は、図示しないエンジン回転数を計測するセンサによって検出されたエンジン回転数に対応する値に基づき、上記制御機構及び上記モータを含む指針駆動機構により、所定角度だけ回動制御されるように構成されている。
【００２１】
ウォーニング表示部４は、オイル不足、ブレーキ警告、充電警告等の各警報をそれらに応じたキャラクタを用いて照明することにより警報表示するものとして構成されている。方向指示部５は、車両走行方向の変更を指示するものとして構成されている。スピードメータ部６は、その指針１６が文字板１７上の走行スピードを指示するものとして構成されている。オドメータ部７は、累積走行距離を表示するものとして構成されている。水温計部８は、その指針１８が文字板１９上の水温を表示するものとして構成されている。これら各部２〜８の駆動機構は公知のものであり、本発明の要旨を理解するには必要がないので、ここではその説明を省略するものとする。尚、各文字板１３、１５、１７、及び１９は、それぞれ一枚の板状に形成してもよいし、近接する部位毎に一枚の板状に形成してもよいものとする。ここでは各文字板が独立しているものとする。
【００２２】
各文字板１３、１５、１７、及び１９は、所定のトリガー信号に応答して各文字板に対する文字板用光源から供給される光により、後面から照明されるようになっている。また、各文字板１３、１５、１７、及び１９に対応する指針１２、１４、１６、及び１８も所定のトリガー信号に応答して、指針用光源から供給される光により光輝するようになっている。
【００２３】
燃料計部２、タコメータ部３、スピードメータ部６、及び水温計部８には、それぞれ円形状のアナログタイプの表示意匠を周回するようなリング部材２０、２１、２２及び２３が設けられている。その各リング部材２０、２１、２２及び２３は、例えば蒸着や印刷等により金属調に仕上げられている。
【００２４】
次に、図２ないし図４を参照しながら、上記タコメータ部３を代表例として、リング部材２１の照明に関する構成及び作用効果を順に説明する。図２は図１のタコメータ部３の正面図、図３は図１のタコメータ部３の断面図、図４は図３の要部拡大図である。
【００２５】
図２において、文字板１５は、例えばポリカーボネートシートからなる光透過性を有する円板状の薄いシート部材からなるものであって、このような文字板１５には、エンジン回転数を示す数字「０」、「１」、「２」…やキャラクタ「×１０００ｒｐｍ」等の表示意匠が形成されている。その表示意匠は、上記数字やキャラクタを中抜きにして、文字板１５の前面に例えば黒系統色のインクを塗布することにより形成されている。エンジン回転数を示す数字「０」、「１」、「２」…は、指針軸２４（図３参照）を中心として文字板１５上を回動する指針１４の先端部により指示されるように配置形成されている。文字板１５上には、エンジン回転数を示す数字「０」、「１」、「２」…を周回するようにリング部材２１が設けられている。
【００２６】
図３において、指針１４は、光透過性を有する合成樹脂材料により成形された導光性を有する細長い先細り形状の指針本体２５を有している。指針本体２５の下面には、指針１４を所定の色に光輝させるための着色層が形成されている。このような指針本体２５は、指針本体基部２６と、その指針本体基部２６に連成される指針本体指示部２７とを有している。
【００２７】
指針本体指示部２７は、指針１４の上記先端部となる部分として形成されている。指針本体基部２６の下面には、指針軸２４の先端部が差し込まれる指針袴２８が取り付けられている。指針本体２５は、指針軸２４及び指針袴２８を中心にして文字板１５の前面側を回動するように取り付けられている。指針袴２８の反対側となる指針本体基部２６の上面側には、指針キャップ２９が取り付けられている。その指針キャップ２９は、指針本体基部２６を覆うことができる形状に形成されている。
【００２８】
指針本体基部２６には、水平方向の面となり、光源３０からの光が入射する入射面３１と、所定の角度で傾斜して入射面３１から入射した光を反射する反射面３２とが形成されている。反射面３２は、指針本体指示部２７に向けて上記光を反射するために形成されている。入射面３１及び反射面３２は、指針本体２５の長手方向において、指針軸２４の位置よりも後方、すなわち指針本体指示部２７が連成される部分の反対側となるように配置形成されている。
【００２９】
文字板１５は、配線板３３から所定の間隔を有するように配設されている。文字板１５と配線板３３との間には、ケース３４が設けられている。そのケース３４には、見返し板９を載置するための載置面３５が形成されている。見返し板９は、載置面３５に載置されるような状態で取り付けられている。リング部材２１は、文字板１５の周縁部に沿って取り付けられている。文字板１５とリング部材２１と見返し板９とケース３４との間には、本発明の要旨となる導光部材３６が取り付けられている。尚、導光部材３６に関しては後述する。
【００３０】
配線板３３の上面には、指針用の複数個の光源３０と、文字板及び見返し板用の複数個の光源３７とが設けられている。その光源３０及び３７は、文字板１５の後面から所定の間隔だけ離間するように配設されている。光源３０及び３７としては、例えばＬＥＤ（Light Emitting Diode）が利用可能であるものとする。配線板３３の下面には、上記指針駆動機構を構成するモータ３８が指針軸２４を貫通させた状態で固定されている。
【００３１】
文字板１５には、指針袴２８が差し込まれるとともに、指針用の複数個の光源３０からの上記光が通過する円形の開口部３９が貫通形成されている。その開口部３９は、配線板３３の複数個の光源３０の上方に開口、且つ、指針本体基部２６の下方に開口するように形成されている。
【００３２】
図３及び図４において、導光部材３６は、光源３７からの光４０を導光して、その光４０を見返し板９の前面に導くための部材であって、上述の如く、文字板１５とリング部材２１と見返し板９とケース３４との間に配設されている。また、導光部材３６は、図示のような断面形状を有しており、環状に形成されている。
【００３３】
もう少し詳しく説明すると、導光部材３６は、光透過性を有する合成樹脂材料により成形された導光性を有する環状の部材であって、光源３７に近い部分には、光４０が入射する入射面４１が形成されている。また、導光部材３６には、入射面４１を介して入射し、そして導光された光４０をリング部材２１に向けて反射する第一反射面４２と、その第一反射面４１で反射された光４０を見返し板９に向けて反射する第二反射面４３と、第二反射面４３で反射された光４０を出射する出射面４４とが形成されている。
【００３４】
出射面４４は、リング部材２１の外周縁部４５と見返し板９との間の隙間部に位置するように配置形成されている。尚、上記間隙部は、引用符号ｄで示される間隙を有する部分としてここでは設定されている。導光部材３６は、タコメータ部３の正面視において、その導光部材３６が見えないように配置されている（見栄えの向上が図られる）。
【００３５】
上記構成において、所定のトリガーによって光源３０が点灯すると、その光源３０から上方へ向かう光は、指針本体基部２６の入射面３１に入射する。そして、その入射面３１に入射した上記光は、指針本体基部２６の反射面３２等を経由して指針本体指示部２７に導光され、これに伴って着色層が光輝する。この時、指針本体２５は、着色層の色調及び光源３０に依存した色調でドライバーに視認されるようになる。
【００３６】
一方、所定のトリガーによって光源３７が点灯すると、その光源３７から上方へ向かう光は、文字板１５の後面を照明する。また、光源３７から横方向へ向かう光４０は、入射面４１を介して導光部材３６内に入射し、第一反射面４２及び第二反射面４３等を経由しながら導光される。そして、出射面４４から出射した光４０は、見返し板９の前面に沿って進行するとともに、その前面を照明する。見返し板９の前面は、その前面の色調及び光源３７に依存した色調でドライバーに視認されるようになる。
【００３７】
以上、図１ないし図４を参照しながら説明してきたように、本発明では光源３７からの光４０が強制的に見返し板９の前面に導かれるようになっている。従って、従来にない新しい視覚効果が得られる計器照明構造になっている。
【００３８】
その他、本発明は本発明の主旨を変えない範囲で種々変更実施可能なことは勿論である。
【００３９】
尚、上述の計器照明構造は、タコメータ部３以外にも適用することが可能であるものとする。また、一般的なメータ装置の計器照明構造のみならず、黒色スモークなどの着色表ガラスを用いたブラックフェースタイプや時差点灯タイプのメータ装置にも適用することが可能であるものとする。さらに、リング部材２１や導光部材３６の形状は完全な円形リング状に限るものではなく、楕円形リング状や一部が切り欠かれたリング状であってもよいものとする。
【図面の簡単な説明】
【００４０】
【図１】本発明による計器照明構造の一実施の形態であり、コンビネーションメータに適用された場合の状態を示す正面図である。
【図２】図１のタコメータ部の正面図である。
【図３】図１のタコメータ部の断面図である。
【図４】図３の要部を拡大した図である。
【図５】従来例のメータ装置の要部断面図である。
【符号の説明】
【００４１】
１  コンビネーションメータ
３  タコメータ部
９  見返し板
１４  指針
１５  文字板
３６  導光部材
３７  光源
４０  光
４１  入射面
４２  第一反射面
４３  第二反射面
４４  出射面
４５  外周縁部
【図１】
2005201733.tif 000003
【図２】
2005201733.tif 000004
【図３】
2005201733.tif 000005
【図４】
2005201733.tif 000006
【図５】
2005201733.tif 000007